(57)【要約】【課題】良好な強度を有するとともに、良好なデザイン性を有する時計を提供する。【解決手段】電波時計１は、風防ガラス１１２を有する風防１１０と、風防１１０に対向配置される裏蓋１２０と、風防１１０および裏蓋１２０の外周縁同士を連結するとともに、ガラスにて形成される胴部１３０と、風防１１０と胴部１３０との間、および裏蓋１２０と胴部１３０との間に設けられるとともに、風防１１０および裏蓋１２０から胴部１３０への応力伝達を低減するパッキン部材１１４，１２４と、風防１１０、裏蓋１２０、および胴部１３０にて囲われる空間に設けられるとともに、時刻を表示するムーブメント２１０と、を具備した。【選択図】図１
2009008497.tif 000002
【特許請求の範囲】
【請求項１】
風防ガラス、およびこの風防ガラスを保持するガラス保持部を有する風防と、
前記風防に対向配置される裏蓋と、
前記風防および前記裏蓋の外周縁同士を連結するとともに、ガラスにて形成される筒状の胴部と、
前記風防と前記胴部との間、および前記裏蓋と前記胴部との間に設けられるとともに、前記ガラス保持部および前記裏蓋から前記胴部への応力を低減する緩衝部材と、
前記風防、前記裏蓋、および前記胴部にて囲われる空間に設けられるとともに、時刻を表示する時刻表示部を有する時計体と、
を具備したことを特徴とする時計。
【請求項２】
請求項１に記載の時計において、
前記風防および前記裏蓋における前記胴部の端面に対向する各面には、前記胴部の端面に沿って略環状の溝部が形成されており、
前記緩衝部材は、前記溝部に配置されている
ことを特徴とする時計。
【請求項３】
請求項１または請求項２に記載の時計であって、
前記緩衝部材は、前記風防と前記胴部との間、および前記裏蓋と前記胴部との間をシールするパッキン部材である
ことを特徴とする時計。
【請求項４】
請求項１から請求項３のいずれかに記載の時計であって、
前記時計体を操作する操作部を備え、
前記風防の前記ガラス保持部または前記裏蓋は、前記操作部の軸が挿通される挿通孔を備えた
ことを特徴とする時計。
【請求項５】
請求項１から請求項４のいずれかに記載の時計であって、
前記風防のガラス保持部は、前記裏蓋に向かって突出する裏蓋固定部を備え、
前記裏蓋固定部の突出先端面は、前記裏蓋に当接されて裏蓋を介してネジがねじ込まれ、
前記胴部は、前記風防のガラス保持部および裏蓋で前記緩衝部材を介して挟持された
ことを特徴とする時計。
【発明の詳細な説明】
【技術分野】
【０００１】
本発明は、内部構造が視認可能な時計に関する。
【背景技術】
【０００２】
従来、内部構造が外部から視認できる、いわゆるスケルトンタイプの時計が知られている（例えば、特許文献１参照）。
【０００３】
この特許文献１に記載のものは、環状のケースに収容部を設け、これらの収容部に上部ガラス板と、裏カバーとが設けられたスケルトン時計である。
【０００４】
【特許文献１】特開平０２−１１６７８４号公報
【発明の開示】
【発明が解決しようとする課題】
【０００５】
ところで、近年、時計のデザインのさらなる向上のために、側面からも内部構造を視認できるタイプの時計が求められている。しかしながら、上記特許文献１に記載のような従来のスケルトン時計において、ケースをガラスにて形成すると、ガラス板および裏カバーにてこのケースを挟み込んだ際に、ケースが破損してしまうおそれがあるという問題がある。ケースにガラス以外の透明部材、例えば透明プラスチックなどを用いる構成も考えられるが、この場合、時計の高級感が低下しデザイン性が悪化してしまうという問題もある。
【０００６】
本発明は、上記のような問題に鑑みて、良好な強度を有するとともに、良好なデザイン性を有する時計を提供することを目的とする。
【課題を解決するための手段】
【０００７】
本発明の時計は、風防ガラス、およびこの風防ガラスを保持するガラス保持部を有する風防と、前記風防に対向配置される裏蓋と、前記風防および前記裏蓋の外周縁同士を連結するとともに、ガラスにて形成される筒状の胴部と、前記風防と前記胴部との間、および前記裏蓋と前記胴部との間に設けられるとともに、前記ガラス保持部および前記裏蓋から前記胴部への応力を低減する緩衝部材と、前記風防、前記裏蓋、および前記胴部にて囲われる空間に設けられるとともに、時刻を表示する時刻表示部を有する時計体と、を具備したことを特徴とする。
【０００８】
この発明によれば、時計は、ガラス製の胴部が、緩衝部材を介して風防および裏蓋に挟持されている。これにより、時計の組立時に、胴部に風防および裏蓋から大きな応力が加わったとしても、これらの応力を緩衝部材にて弱めることができ、胴部の破損を防止することができる。また、時計に衝撃などが加わった場合でも、緩衝部材により胴部への応力を軽減でき、胴部の破損を防止できる。さらに、胴部をガラスで形成することにより、ガラスが持つ高級感を時計に付与することができ、また時計の側面から時計内部の構造が視認でき、時計の意匠性を向上させることができる。
【０００９】
そして、本発明の時計では、前記風防および前記裏蓋における前記胴部の端面に対向する各面には、前記胴部の端面に沿って略環状の溝部が形成されており、前記緩衝部材は、前記溝部に配置されていることが好ましい。
この発明によれば、前記緩衝部材は、風防および裏蓋に形成される溝部に設けられている。これにより、緩衝部材の位置が溝部により規制されるので、時計組立時に緩衝部材がずれるなどの不都合を回避でき、かつ緩衝部材を胴部の端面位置に確実に配置できて胴部へ応力が伝わるのを良好に防止できる。また、緩衝部材を溝部に沿って配置するため、緩衝部材を外部から視認し難くでき、良好な意匠性の時計を提供できる。
【００１０】
また、本発明の時計では、前記緩衝部材は、前記風防と前記胴部との間、および前記裏蓋と前記胴部との間をシールするパッキン部材であることが好ましい。
この発明によれば、風防と胴部との間、裏蓋と胴部との間に緩衝部材としてパッキン部材が設けられる。これにより、風防と胴部との間、および裏蓋と胴部との間が良好にシールされ、防水性を向上させることができる。
【００１１】
さらに、本発明の時計では、前記時計体を操作する操作部を備え、前記風防の前記ガラス保持部または前記裏蓋は、前記操作部の軸が挿通される挿通孔を備えたことが好ましい。
この発明によれば、風防のガラス保持部または裏蓋に時計体を操作する操作ボタンやリューズなどの操作部の軸を挿通する挿通孔が設けられている。これにより、胴部に操作部の軸を挿通する挿通孔を形成する必要がなく、胴部をガラスで構成した場合でもその強度を維持することができる。
また、風防のガラス保持部は金属等で構成できるため、挿通孔が形成されても十分な強度を確保できる。
なお、裏蓋が、ガラス等の非磁性部材と、この非磁性部材の外周縁を保持する保持部とで構成されている場合には、前記挿通孔は保持部に形成すればよい。裏蓋の保持部も金属などで構成できるため、挿通孔が形成されても十分な強度を確保できる。
【００１２】
さらには、本発明の時計は、前記風防のガラス保持部は、前記裏蓋に向かって突出する裏蓋固定部を備え、前記裏蓋固定部の突出先端面は、前記裏蓋に当接されて裏蓋を介してネジがねじ込まれ、前記胴部は、前記風防のガラス保持部および裏蓋で前記緩衝部材を介して挟持されたことが好ましい。
この発明によれば、裏蓋固定部により風防と裏蓋との間隔を所定間隔寸法に維持することができる。したがって、例えば裏蓋固定部を裏蓋にねじ止めして胴部を挟持させる際、裏蓋固定部により風防と裏蓋との間隔が維持され、胴部への過剰な応力負荷を防止できる。よって、胴部の破損をより確実に防止できる。
【発明を実施するための最良の形態】
【００１３】
以下、本発明の一実施の形態に係る電波時計を図面に基づいて説明する。
図１は、本発明の一実施の形態に係る電波時計の概略を示す側断面図である。
図２は、前記実施の形態の電波時計の外装ケースの概略を示す斜視図である。
図３は、前記実施の形態の電波時計の外装ケースの分解斜視図である。
図４は、前記実施の形態の電波時計の外装ケースの周部における一部を拡大した断面図である。
図５は、前記実施の形態の電波時計の外装ケースの周部の固定構造を示す断面図である。
【００１４】
図１に示すように、本実施の形態の電波時計１は、外装ケース１００と、この外装ケース１００内部に設けられるアンテナ２００と、時計体としてのムーブメント２１０と、を備えている。
【００１５】
外装ケース１００は、風防１１０と、風防１１０に対向配置される裏蓋１２０と、風防１１０および裏蓋１２０により挟持される胴部１３０と、を備えている。
【００１６】
風防１１０は、図１ないし図５に示すように、ガラス保持部としての縁部１１１と、風防ガラス１１２とを備えている。
縁部１１１は、例えば金属製部材などの強度が大きい素材にて、略円環状に形成されている。
この縁部１１１の内周面には、周方向に沿ってガラス載置部１１１Ａが設けられ、その上面側に風防ガラス１１２が載置される。また、縁部１１１の内周面（ガラス保持面１１１Ｂ）と風防ガラス１１２の外周面との間には、パッキン１１３が介在されている。
【００１７】
さらに、縁部１１１の下面（裏蓋１２０側の面）における外周縁側には、胴部１３０を保持する風防側保持部１１１Ｃが形成されている。この風防側保持部１１１Ｃは、裏蓋１２０側に突出する風防側当接片１１１Ｄ（図５参照）と、この風防側当接片１１１Ｄの外周側に形成される風防側保持面１１１Ｅとを備えている。
風防側当接片１１１Ｄは、例えば風防側保持部１１１Ｃの周方向における４箇所に設けられ、胴部１３０の内周面に当接して位置決めしている。風防側当接片１１１Ｄが４個設けられる構成を示すがこれに限定されない。例えば、３個であってもよく、５個以上設けられている構成であってもよく、縁部１１１の周方向に沿って連続形成されているものであってもよい。
また、風防側保持面１１１Ｅには、周方向に沿って、裏蓋１２０側に開口する溝部としての風防側保持溝１１１Ｆが形成されている。この風防側保持溝１１１Ｆには、例えばゴムなどの合成樹脂部材により形成されて弾性を有する緩衝部材としての風防側パッキン部材１１４が装着されている。この風防側パッキン部材１１４は、例えば断面略円形に形成され、その径寸法が風防側保持溝１１１Ｆの溝幅寸法と略同一寸法に形成されている。これにより、風防側パッキン部材１１４は、軸方向に沿う応力が加わると、軸方向と略直交する方向が風防側保持溝１１１Ｆの溝壁により規制されるため、軸方向に沿う弾性力が増大する。
そして、風防側保持部１１１Ｃは、風防側当接片１１１Ｄを胴部１３０の内周面に当接させて位置決めさせた状態で、風防側パッキン部材１１４を介して、風防側保持面１１１Ｅと裏蓋１２０とにより胴部１３０を挟持することで、胴部１３０を固定している。
【００１８】
そして、縁部１１１の風防側保持部１１１Ｃの内周側には、図５に示すように、下面側に突出する４本の裏蓋固定部１１１Ｇが一体形成されている。これらの裏蓋固定部１１１Ｇは、裏蓋１２０に対向する下面に、固定ネジ孔１１１Ｈが形成されている。そして、これらの裏蓋固定部１１１Ｇは、下面を裏蓋１２０の上面に当接させた状態で、裏蓋１２０の下面側から挿通される止ネジ１５０を固定ネジ孔１１１Ｈに螺合させることにより、裏蓋１２０に固定される。なお、本実施の形態では、裏蓋固定部１１１Ｇが、風防側当接片１１１Ｄに略対向する位置に設けられる構成を示すが、これに限定されず、裏蓋固定部１１１Ｇと風防側当接片１１１Ｄとが対向しない構成であってもよい。また、裏蓋固定部１１１Ｇの数量も４個に限定されず、少なくとも３個以上設けられている構成であればよく、例えば３個であってもよく、５個以上設けられる構成であってもよい。
【００１９】
風防ガラス１１２は、縁部１１１のガラス載置部１１１Ａに載置されて接着される。この際、風防ガラス１１２と、縁部１１１のガラス保持面１１１Ｂとの間には、パッキン１１３が介在されるため、縁部１１１および風防ガラス１１２間からの水の浸入を防止でき、十分な防水性を確保している。
【００２０】
裏蓋１２０は、保持部である略円盤状の裏蓋本体部１２１と、裏蓋本体部１２１に保持されるガラス蓋１２２と、を備えている。
裏蓋本体部１２１は、例えば金属製素材などの強度の大きい素材により形成されている。この裏蓋本体部１２１の略中央部には、略正方形状のガラス保持孔１２１Ａが形成されている。このガラス保持孔１２１Ａにおける上面側端縁には、内方に突出するガラス位置決め片１２１Ｂが形成されている。このガラス位置決め片１２１Ｂの下面側には、ガラス保持孔１２１Ａと略同一形状となる略正方形状のガラス蓋１２２が位置決めされ、例えば接着剤などにより固定されている。また、ガラス保持孔１２１Ａの内周面の下面側には、ガラス蓋１２２の周面を保持するガラス蓋保持面１２１Ｃが形成されている。このガラス蓋保持面１２１Ｃは、パッキン１２３を介してガラス蓋１２２の周面を保持している。
【００２１】
また、裏蓋１２０の上面における外周縁側には、図１、図４および図５に示すように、胴部を保持する裏蓋側保持部１２１Ｄが形成されている。この裏蓋側保持部１２１Ｄは、風防１１０側に突出する裏蓋側当接片１２１Ｅと、この裏蓋側当接片１２１Ｅの外周側に形成される裏蓋側保持面１２１Ｆとを備えている。
裏蓋側当接片１２１Ｅは、裏蓋側保持部１２１Ｄの外周部における周方向に沿って形成されている。この裏蓋側当接片１２１Ｅは、胴部１３０の内周面に当接して、胴部１３０を位置決めする。なお、裏蓋側当接片１２１Ｅは、裏蓋側保持部１２１Ｄの周方向に亘って形成される例を示したが、これに限定されず、例えば風防側当接片１１１Ｄと同様に、裏蓋側保持部１２１Ｄの周方向に沿う例えば４箇所に設けられる構成などとしてもよい。
裏蓋側保持面１２１Ｆは、裏蓋側保持部１２１Ｄの周方向に沿って、風防１１０側に開口する溝部としての裏蓋側保持溝１２１Ｇを備えている。この裏蓋側保持溝１２１Ｇには、例えばゴムなどの合成樹脂部材により形成されて弾性を有する緩衝部材としての裏蓋側パッキン部材１２４が装着されている。この裏蓋側パッキン部材１２４は、風防側パッキン部材１１４と同様に、例えば断面略円形に形成され、その径寸法が裏蓋側保持溝１２１Ｇの溝幅寸法と略同一寸法に形成されている。これにより、裏蓋側パッキン部材１２４は、軸方向に沿う応力が加わると、軸方向と略直交する方向が裏蓋側保持溝１２１Ｇの溝壁により規制されるため、軸方向に沿う弾性力が増大する。
そして、裏蓋側保持部１２１Ｄは、裏蓋側当接片１２１Ｅを胴部１３０の内周面に当接させて位置決めさせた状態で、裏蓋側パッキン部材１２４を介して、裏蓋側保持面１２１Ｆと風防１１０の風防側保持面１１１Ｅとにより胴部１３０を挟持することで、胴部１３０を固定している。
【００２２】
さらに、裏蓋本体部１２１には、図５に示すように、前記した止ネジ１５０を挿通可能なネジ挿通孔１２１Ｈが、風防１１０の裏蓋固定部１１１Ｇに対向する位置にそれぞれ設けられている。
これらのネジ挿通孔１２１Ｈには、前述したように、止ネジ１５０が挿通され、この止ネジが裏蓋固定部１１１Ｇの固定ネジ孔１１１Ｈに螺合される。これにより、裏蓋１２０および風防１１０は、胴部１３０を挟持した状態で固定される。
また、裏蓋本体部１２１には、図３および図５に示すように、操作部としての操作ボタン１６０の軸が挿通可能な図示しない挿通孔が設けられている。
【００２３】
胴部１３０は、ガラスにより略筒状に形成され、風防１１０の縁部１１１および裏蓋１２０により挟持されている。この時、胴部１３０は、前記したように、風防側パッキン部材１１４および裏蓋側パッキン部材１２４を介して、風防１１０および裏蓋１２０により挟持される。これにより、風防１１０および裏蓋１２０から応力が加わっても、パッキン部材１１４，１２４により吸収され、ガラス製の胴部１３０に大きな応力が加わらず、破損などが防止される。なお、胴部１３０に用いられるガラスは、サファイアガラスやクリスタルガラス等が利用される。
【００２４】
操作ボタン１６０は、前記したように軸部が挿通孔に挿通され、外装ケース１００の内部に設けられる時計体であるムーブメント２１０に接続されている。この操作ボタン１６０としては、例えばムーブメント２１０に対して進退自在に設けられて進退状態に応じた操作信号をムーブメント２１０の内部に設けられる図示しない制御回路部に出力する構成であってもよく、また、回転可能に設けられて回転状態に応じた操作信号を制御回路部に出力するものであってもよく、その他いかなる操作方法により操作されるものであってもよい。
【００２５】
また、風防１１０およびムーブメント２１０の間には、風防ガラス１１２に対向して文字板１４０が配設されている。この文字板１４０は、例えば合成樹脂などの非磁性部材により形成され、ムーブメント２１０の上面側に固定されている。また、文字板１４０の略中心部には、図示しない指針挿通孔が形成されている。この指針挿通孔には、文字板１４０上に配置された指針１７０の軸が挿通されている。
【００２６】
アンテナ２００は、図１に示すように、磁性体コア２０１と、この磁性体コア２０１に巻装されるコイル２０２とを備え、例えば胴部１３０の内周面に沿って略円弧状に形成されている。このアンテナ２００は、電波（外部無線情報）として所定の標準電波出力局から発信される時刻情報を有する標準電波を受信し、その受信情報をムーブメント２１０に内蔵される図示しない制御回路部に出力する。
【００２７】
ムーブメント２１０は、外装ケース１００の内部に格納され、外装ケース１００内部の所定位置で固定されている。
ムーブメント２１０は、アンテナ２００にて受信した標準電波を処理する図示しない制御回路部と、制御回路部の制御により駆動される図示しないステッピングモータと、このステッピングモータの駆動力により運針される指針１７０（秒針１７１、時針１７３、および分針１７２：図１参照）と、を備えている。そして、ムーブメント２１０は、制御回路部に組み込まれる図示しないカウンタにより時間をカウントし、カウントした時間に応じてステッピングモータに所定のパルス信号を出力して、指針１７０を運針させる。また、ムーブメント２１０は、アンテナ２００にて受信した標準電波の時刻情報に基づいて、ステッピングモータを適宜駆動させ、標準電波の時刻情報に対応した指針位置に指針１７０を移動させる制御をする。
【００２８】
〔電波時計の外装ケースの組立方法〕
次に上述した電波時計１における外装ケース１００の組立方法の一例について説明する。
上述した電波時計１を組み立てる際には、予め、風防１１０の縁部１１１に風防ガラス１１２を装着して風防１１０を組み立てておくとともに、裏蓋１２０の裏蓋本体部１２１にガラス蓋１２２を装着して裏蓋１２０を組み立てておく。この後、風防１１０の風防側保持溝１１１Ｆに風防側パッキン部材１１４を装着し、裏蓋１２０の裏蓋側保持溝１２１Ｇに、裏蓋側パッキン部材１２４を装着する。
【００２９】
次に、風防１１０に対し、指針１７０や文字板１４０が取り付けられたムーブメント２１０を取り付ける。
【００３０】
そして、風防１１０の風防側保持面１１１Ｅに胴部１３０を載置する。この時、風防側当接片１１１Ｄを胴部１３０の内周面に当接させて、胴部１３０を位置決めする。
次に、胴部１３０に裏蓋１２０を被せて、裏蓋１２０および風防１１０により胴部１３０を挟み込む。この時、裏蓋１２０の裏蓋側当接片１２１Ｅを胴部１３０の内周面に当接させる。
この後、裏蓋１２０のネジ挿通孔１２１Ｈから止ネジ１５０を挿通させ、風防１１０の裏蓋固定部１１１Ｇに設けられる固定ネジ孔１１１Ｈに螺合させる。この止ネジ１５０を締付けることにより、胴部１３０が強固に風防１１０および裏蓋１２０により挟持されて固定される。この時、胴部１３０は、風防側パッキン部材１１４および裏蓋側パッキン部材１２４を介して風防１１０および裏蓋１２０に挟持されるため、これらのパッキン部材１１４，１２４が弾性変形することで胴部１３０への負荷が吸収される。
【００３１】
〔電波時計の作用効果〕
上記したように、上記実施の形態の電波時計１では、外装ケース１００は、風防ガラス１１２を備えた風防１１０、この風防１１０に対向する裏蓋１２０、および風防１１０と裏蓋１２０とに挟持されるガラス製の胴部１３０と、風防１１０および胴部１３０の間、および裏蓋１２０および胴部１３０の間にそれぞれ設けられる風防側パッキン部材１１４および裏蓋側パッキン部材１２４と、を備えている。
このため、胴部１３０は、パッキン部材１１４，１２４を介して風防１１０および裏蓋１２０に挟持され、これら風防１１０および裏蓋１２０からの応力をパッキン部材１１４，１２４に分散させて軽減させることができる。したがって、ガラス製の胴部１３０が風防１１０や裏蓋１２０からの応力により破損することがなく、良好な強度を維持することができる。さらに、胴部１３０がガラスにて形成されるため、電波時計１の側面から内部構造を視認することができ、また、ガラス特有の高級感をも得ることができるので、電波時計１のデザインを良好にすることができ、意匠性の向上に貢献できる。
【００３２】
また、風防側パッキン部材１１４および裏蓋側パッキン部材１２４は、それぞれ互いに対向して設けられる環状の風防側保持溝１１１Ｆおよび裏蓋側保持溝１２１Ｇに沿って設けられている。
このため、各パッキン部材１１４，１２４が、例えば径方向にずれることがなく、良好に風防１１０と胴部１３０との間、裏蓋１２０と胴部１３０との間に配置される。したがって、各パッキン部材１１４，１２４のずれによる強度の低下を防止でき、またパッキン部材１１４，１２４が外部から見え難くなるため、外観も良好にすることができる。
【００３３】
また、上記実施の形態の電波時計１では、緩衝部材としてパッキン部材１１４，１２４を用いている。このため、胴部１３０と風防１１０との間、胴部１３０と裏蓋１２０との間が良好にシールされ、電波時計１の防水性を向上させることができる。
【００３４】
さらに、裏蓋１２０は、操作部挿通孔を備え、この挿通孔に操作ボタン１６０が挿通されている。
このため、強度が大きい裏蓋１２０に挿通孔が設けられ、この操作部挿通孔の操作ボタン１６０が設けられているため、ガラスにて形成される胴部１３０にリューズなどの操作ボタン１６０を挿通する孔部を設ける必要がなく、胴部１３０の強度低下を防止することができる。
【００３５】
さらには、外装ケース１００は、裏蓋本体部１２１に設けられるネジ挿通孔１２１Ｈから止ネジ１５０を挿通し、風防１１０の縁部１１１から延出する裏蓋固定部１１１Ｇの固定ネジ孔１１１Ｈに螺合させることで、胴部１３０を挟持して組み立てられている。
このため、ねじ止めにより裏蓋１２０および風防１１０を強固に固定することで、電波時計１の強度を向上させることができる。また、裏蓋固定部１１１Ｇが縁部１１１と裏蓋本体部１２１との間に配設されるため、風防１１０と裏蓋１２０との間隔寸法を所定寸法に規制することができ、例えば電波時計１の外装ケース１００の組立時に、胴部１３０に過度の応力が加わるのを防止でき、胴部１３０の破損をより確実に防止できる。
【００３６】
そして、電波時計１は、内部に、標準電波を受信可能なアンテナ２００、アンテナ２００にて受信された標準電波の時刻情報に基づいて時刻設定を実施するムーブメント２１０が配設されている。
このため、ガラス製の胴部１３０により、標準電波が阻害されず、アンテナ２００にて良好にこの標準電波を受信することができ、アンテナ２００における受信感度を向上させることができる。
【００３７】
また、裏蓋１２０は、ガラス製のガラス蓋１２２と、このガラス蓋１２２を保持する裏蓋本体部１２１とを備えている。
このため、アンテナ２００が裏蓋１２０側に近接する位置に設けられている場合でも、裏蓋１２０全体が金属などの磁性部材にて形成されている場合に比べて、アンテナの受信感度を良好にできる。したがって、標準電波をより良好に受信することができ、ムーブメント２１０により効率よく時刻修正を実施することができる。
【００３８】
さらに、風防１１０に対向して配置される文字板１４０が非磁性部材にて形成されている。
このため、アンテナ２００が文字板１４０に近接する位置に設けられている場合でも、例えば金属製の文字板などを用いる場合に比べて、アンテナ２００の受信感度をより良好にすることができる。
【００３９】
そして、操作ボタン１６０は非磁性部材にて形成されている。このため、アンテナ２００が操作ボタン１６０の近傍に配置される場合でも、操作ボタン１６０により電波が阻害されず、アンテナ２００の受信感度をより向上させることができる。
【００４０】
また、これらパッキン部材１１４，１２４は、断面略円形に形成され、径寸法が風防側保持溝１１１Ｆおよび裏蓋側保持溝１２１Ｇの溝幅寸法と略同一寸法に形成されている。このため、これらパッキン部材１１４，１２４を風防側保持溝１１１Ｆおよび裏蓋側保持溝１２１Ｇに装着させ、風防１１０および裏蓋１２０により胴部１３０を挟持すると、パッキン部材１１４，１２４の径方向への弾性変形が風防側保持溝１１１Ｆおよび裏蓋側保持溝１２１Ｇの溝壁により規制され、軸方向への弾性力を増大させることができる。したがって、胴部１３０への応力付加をより良好に防止することができ、胴部１３０の破損をより確実に防止することができる。
【００４１】
〔他の実施の形態〕
なお、本発明は前述の実施形態に限定されるものではなく、本発明の目的を達成できる範囲での変形、改良等は本発明に含まれるものである。
【００４２】
例えば、上記実施の形態では、内部にアンテナ２００が内蔵され、アンテナ２００により受信した標準電波の時刻情報に基づいて、ムーブメント２１０にて表示させる時刻を設定する電波時計１を例示したが、これに限定されない。例えば、アンテナ２００が内蔵されず、例えば手動で操作ボタン１６０を操作することで時刻の設定が可能な時計であってもよい。また、指針式の電波時計１を例示したが、例えば液晶表示パネルなどの表示領域を有し、この表示領域に時刻を表示させるデジタル表示式の時計であってもよい。
さらに、電力により駆動されるムーブメント２１０に限らず、例えばぜんまいなどの駆動力により、輪列機構が駆動して指針を運針させるムーブメント２１０が内蔵される時計であってもよい。
【００４３】
また、胴部１３０が透明なガラスにて形成され、内部が視認可能な電波時計１を例示したが、例えば所定の色が着色された半透明ガラスや、不透明ガラスにより胴部１３０を形成する構成としてもよい。不透明ガラスにより胴部１３０を構成する場合、時計側面から内部構成を視認不可能となるが、ガラス特有の高級感により良好なデザインの時計を提供することができる。
【００４４】
さらに、裏蓋固定部１１１Ｇが風防１１０の縁部１１１に設けられる例を示したが、これに限定されず、例えば裏蓋本体部１２１から風防１１０に向かって形成され、縁部１１１にねじ止めなどにより固定される構成としてもよい。
【００４５】
また、裏蓋１２０に操作部挿通孔を設け、操作ボタン１６０を挿通させる構成としたが、例えば風防１１０に操作部挿通孔を設け、風防１１０に操作ボタン１６０を設ける構成などとしてもよい。
【００４６】
そして、パッキン部材１１４，１２４が風防側保持溝１１１Ｆおよび裏蓋側保持溝１２１Ｇに装着される例を示したが、例えば胴部１３０の風防１１０に対向する面および裏蓋１２０に対向する面にそれぞれ環状の溝部を形成し、この溝部にパッキン部材１１４，１２４を装着させる構成などとしてもよい。また、パッキン部材１１４，１２４を装着する溝部が設けられない構成であってもよい。
【００４７】
また、上記において、風防１１０と胴部１３０との間、および裏蓋１２０と胴部１３０との間に緩衝部材としてパッキン部材１１４，１２４を介在させる構成を示したが、これに限らない。例えば緩衝部材として、弾性を有するスポンジ状部材などの他の弾性緩衝部材を介在させる構成としてもよく、この場合、胴部１３０に加わる応力を弾性緩衝部材に吸収させることができる。また、環状の緩衝部材に限らず、風防側保持溝１１１Ｆおよび裏蓋側保持溝１２１Ｇの所定位置に、所定間隔を開けて複数の緩衝部材が設けられる構成などとしてもよい。この場合でも、上記例と同様に、胴部１３０に加わる応力を緩衝部材に吸収させることができる。なお、上記２例では、風防１１０と胴部１３０との間、裏蓋１２０と胴部１３０との間に、それぞれ、防水性の接着剤を充填させるなどとすることにより、防水性の低下を防止することができる。
【００４８】
そして、外部無線情報として標準電波を例示したが、これに限られない。例えば、ＦＭやＧＰＳ、携帯電話にて使用される電波、あるいはブルーツース（登録商標）や非接触ＩＣカードでの無線情報でもよく、ニュースや天気予報など外部無線情報の内容も限定されない。なお、電波の種類によって、アンテナ２００や受信回路の構成などは適宜変更されるのは言うまでもない。受信された外部無線情報は、例えば、天気予報であれば、予め設けられた晴れ、曇り、雨といった情報を指針で指し示すように、ステッピングモータによる指針駆動によって表示されてもよく、また、ニュースや株価情報などは液晶表示装置などの電子表示装置によって表示されてもよい。
【００４９】
その他、本発明の実施の際の具体的な構造および手順は、本発明の目的を達成できる範囲で他の構造などに適宜変更できる。
【図面の簡単な説明】
【００５０】
【図１】本発明の一実施の形態に係る電波時計の概略を示す側断面図である。
【図２】前記実施の形態の電波時計の外装ケースの概略を示す斜視図である。
【図３】前記実施の形態の電波時計の外装ケースの分解斜視図である。
【図４】前記実施の形態の電波時計の外装ケースの周部における一部を拡大した断面図である。
【図５】前記実施の形態の電波時計の外装ケースの周部の固定構造を示す断面図である。
【符号の説明】
【００５１】
１…時計としての電波時計、１１０…風防、１１１…縁部、１１１Ｆ…溝部としての風防側保持溝、１１１Ｇ…裏蓋固定部、１１２…風防ガラス、１１４…緩衝部材としての風防側パッキン部材、１２０…裏蓋、１２１Ｇ…溝部としての裏蓋側保持溝、１２４…緩衝部材としての裏蓋側パッキン部材、１３０…胴部、１６０…操作部としての操作ボタン、２００…アンテナ、２１０…時計体としてのムーブメント。
【図１】
2009008497.tif 000003
【図２】
2009008497.tif 000004
【図３】
2009008497.tif 000005
【図４】
2009008497.tif 000006
【図５】
2009008497.tif 000007